(57)【要約】      （修正有）【課題】コンドームの形態を構成する材料の中に、様々な機能を適用するために、異物感が感じられる材料を注入及び挿入して、装着感と性感を良くすることができるコンドームを提供する。【解決手段】コンドームの形態を構成する材料の中に、液体、半固体の性質を有し、また人体に無害な材料を用いることによって、よく裂けられないため、超薄膜コンドームの場合のように、コンドームの裂けによる望まない妊娠を予防することと、異物感が感じられる材料を注入及び挿入して、女性にもっと満足感を与えると同時に、男性も満足させることも可能である。コンドームの形を構成する材料の中に、液体、半固体の性質を有し、また人体に無害な材料を使用するため、エイズウイルスのような、小さなウイルスをろ過できる二重保護膜の役割を果たす効果によって、確実に、エイズを予防する機能を実行するのが可能である。【選択図】図１
0003213164.tif 000002
【実用新案登録請求の範囲】
【請求項１】
コンドームの形態を構成する材料の中に、様々な機能を適用するために、異物感が感じられる材料を挿入して、装着感と性感を良くする
ことを特徴とするコンドーム。
【請求項２】
コンドームの形態を構成する材料の中に、立体図形形態の材料が挿入される
請求項１に記載のコンドーム。
【請求項３】
コンドームの形態を構成する材料の中に、様々なサイズの立体図形形態の材料が挿入される
請求項１に記載のコンドーム。
【請求項４】
コンドームの形態を構成する材料の中に、様々な強度（硬い強度、適度な強度、滑らかな強度……）の立体図形形態の材料が挿入される
請求項１に記載のコンドーム。
【請求項５】
コンドームの形態を構成する材料の中に、液体、半固体の性質を有し、また人体に無害な材料と立体図形形態の材料が挿入される
請求項１に記載のコンドーム。
【請求項６】
コンドームの形を構成する材料の中は、隔膜構造で分離されている
請求項５に記載のコンドーム。
【請求項７】
コンドームの形を構成する材料の中の分離された隔膜構造の中には、立体図形形態の材料が固定されて動くことができない隔膜がある
請求項５に記載のコンドーム。
【請求項８】
コンドームの形を構成する材料の中の分離された隔膜構造の中には、立体図形形態の材料が、上、下のみに動くことができる隔膜がある
請求項５に記載のコンドーム。
【請求項９】
コンドームの形を構成する材料の中の分離された隔膜構造の中には、立体図形形態の材料が、左、右のみに動くことができる隔膜がある
請求項５に記載のコンドーム。
【請求項１０】
コンドームの形を構成する材料の中の分離された隔膜構造の中には、立体図形形態の材料が、左上、右下に、または、左下、右上に動くことができる隔膜がある
請求項５に記載のコンドーム。
【請求項１１】
コンドームの形を構成する材料の中の分離された隔膜構造の中には、立体図形形態の材料が、四方八方に全方向移動可能な隔膜がある
請求項５に記載のコンドーム。
【請求項１２】
コンドームの形が、横軸（行）、横軸にしわがある横しわ型である
請求項１に記載のコンドーム。
【請求項１３】
コンドームの形が、縦軸（列）、縦軸にしわがある縦しわ型である
請求項１に記載のコンドーム。
【請求項１４】
コンドームの形が、左上、右下に、または、左下、右上にしわがあるスクリュー型である
請求項１に記載のコンドーム。
【請求項１５】
コンドームの形がしわ型（横軸、縦軸）及びしわがスクリュー型である陽刻（凸）の部分の材料の中に、立体図形形態の材料が挿入される
請求項１２ないし１４のいずれかに記載のコンドーム。
【請求項１６】
コンドームの形がしわ型（横軸、縦軸）及びしわがスクリュー型である陽刻（凸）の部分の材料の中に、様々なサイズの立体図形形態の材料が挿入される
請求項１２ないし１４のいずれかに記載のコンドーム。
【請求項１７】
コンドームの形がしわ型（横軸、縦軸）及びしわがスクリュー型である陽刻（凸）の部分の材料の中に、様々な強度（硬い強度、適度な強度、滑らかな強度……）の立体図形形態の材料が挿入される
請求項１２ないし１４のいずれかに記載のコンドーム。
【請求項１８】
コンドームの形がしわ型（横軸、縦軸）及びしわがスクリュー型である陽刻（凸）の部分の材料の中に、液体、半固体の性質を有し、また人体に無害な材料と立体図形形態の材料が挿入される
請求項１に記載のコンドーム。
【請求項１９】
コンドームの形がしわ型（横軸、縦軸）及びしわがスクリュー型である陽刻（凸）の部分の材料の中に、隔膜構造で分離されている
請求項１８に記載のコンドーム。
【請求項２０】
コンドームの形がしわ型（横軸、縦軸）及びしわがスクリュー型である陽刻（凸）の部分の材料の中の分離された隔膜構造の中には、立体図形形態の材料が固定されて動くことができない隔膜がある
請求項１８に記載のコンドーム。
【請求項２１】
コンドームの形がしわ型（横軸、縦軸）及びしわがスクリュー型である陽刻（凸）の部分の材料の中の分離された隔膜構造の中には、立体図形形態の材料が、上、下のみに動くことができる隔膜がある
請求項１８に記載のコンドーム。
【請求項２２】
コンドームの形がしわ型（横軸、縦軸）及びしわがスクリュー型である陽刻（凸）の部分の材料の中の分離された隔膜構造の中には、立体図形形態の材料が、左、右のみに動くことができる隔膜がある
請求項１８に記載のコンドーム。
【請求項２３】
コンドームの形がしわ型（横軸、縦軸）及びしわがスクリュー型である陽刻（凸）の部分の材料の中の分離された隔膜構造の中には、立体図形形態の材料が、左上、右下に、または、左下、右上に動くことができる隔膜がある
請求項１８に記載のコンドーム。
【請求項２４】
コンドームの形がしわ型（横軸、縦軸）及びしわがスクリュー型である陽刻（凸）の部分の材料の中の分離された隔膜構造の中には、立体図形形態の材料が、四方八方に全方向移動可能な隔膜がある
請求項１８に記載のコンドーム。
【請求項２５】
コンドームの形態を構成する材料の中に、性器を支えるための様々な（形状、サイズ、強度）バーが挿入される
請求項１に記載のコンドーム。
【請求項２６】
コンドームの形を構成する外部が、繊毛形の材料に囲まれる繊毛型に突出する
請求項１に記載のコンドーム。
【請求項２７】
コンドームの形態を構成する材料の中に、ビーズ形態の材料が挿入される
請求項１に記載のコンドーム。
【請求項２８】
コンドームの材料は、ゴム、シリコン、ポリウレタンなどにより、高弾力性の伸縮性のある様々な素材が使用される
請求項１に記載のコンドーム。
【請求項２９】
コンドームの形態を構成する材料の中に挿入された立体図形形態の材料は、ゴム、シリコン、ポリウレタンなどにより、高弾力性の伸縮性のある様々な素材が使用される
請求項１に記載のコンドーム。
【請求項３０】
コンドームの形態を構成する材料の中に挿入された立体図形形態の材料の中に、生理食塩水、シリコーンゲル、凝集性シリコーンゲル、ダブルルーメン、カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われる
請求項１に記載のコンドーム。
【請求項３１】
コンドームの形態を構成する材料の中に、生理食塩水、シリコーンゲル、凝集性シリコーンゲル、ダブルルーメン、カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われる
請求項１に記載のコンドーム。
【請求項３２】
コンドームの形態を構成する材料の中に挿入された立体図形形態の材料を囲まれる外部の膜が、特定の刺激である熱や力などを受けると、外部の膜が裂けながら、立体図形形態の中の内容物が流れ出されて、コンドームの形を構成する材料の中の液体、半固体の性質を有し、また人体に無害な材料と混合する
請求項１に記載のコンドーム。
【請求項３３】
コンドームの形態を構成する材料の中に挿入された立体図形形態の材料は、磁石のように磁力を有する磁性物質を用いる
請求項１に記載のコンドーム。
【請求項３４】
コンドームの形態を構成する材料の中に挿入された立体図形形態の材料の中は、空の形とし、空気や窒素などが充填される小さなボールを用いる
請求項１に記載の コンドーム。
【請求項３５】
コンドームの形態を構成する材料の中に挿入された立体図形形態の材料の外部を、磁力を有する磁性物質のようなもので、コーティングする立体図形を用いる
請求項１に記載のコンドーム。
【請求項３６】
コンドームの形態を構成する材料の中に挿入された立体図形形態の材料を、空気や窒素などが充填される小さなボールと、磁力を有する磁性物質及びゴム、シリコン、ポリウレタンなどを使用する高弾力性の伸縮性のある様々な素材とを混合して用いる
請求項１に記載のコンドーム。
【請求項３７】
コンドームには、天然のゲル及びクールなメンソールなどの様々な成分が含まれる
請求項１に記載のコンドーム。
【考案の詳細な説明】
【技術分野】
【０００１】
本考案は、異物感が感じられる材料を入れたコンドームに関し、さらに詳しくは、コンドームの形態を構成する材料の中に、様々な機能を適用するために、異物感が感じられる材料を、注入及び挿入して、装着感と性感を満足できるように変えられてくれる機能に関するものである。
【背景技術】
【０００２】
一般的に、コンドームは、装着感、機能、素材などには、気にせず、耐久性などの固有の機能のみに着目することで、 性感が満足できない問題がある。
【０００３】
超薄膜コンドームの場合は、過激な性交をすると、コンドームの裂けによって、望まない妊娠をする欠点がある。
【０００４】
超薄膜コンドームの場合は、一般的に、男性を最も満足させるが、女性を満足させるには、不十分な部分がある。
【０００５】
また、一般的なコンドームの場合は、エイズウイルスのサイズが、コンドーム材の微細穴よりも小さいサイズのため、ウイルスが簡単にホールを通じて、浸透することもできており、エイズの予防効果に意味がないのである。
【考案の概要】
【考案が解決しようとする課題】
【０００６】
本考案は、上記のような問題点を解決するために案出されるものであり、本考案は、コンドームの形を構成する材料の中に、様々な機能を適用するために、異物感が感じられる材料を注入及び挿入して、装着感と性感を満足できるように変えられてくれることを目的とする。
【０００７】
上記のような問題点を解決するために、本考案においては、コンドームの形態を構成する材料の中に、液体、半固体の性質を有し、また人体に無害な材料を用いることによって、よく裂けられないため、超薄膜コンドームの場合のように、コンドームの裂けによる望まない妊娠を予防することを目的とする。
【０００８】
上記のような問題点を解決するために、本考案においては、異物感が感じられる材料を注入及び挿入して、女性にもっと満足感を与えると同時に、男性も満足させることを目的とする。
【０００９】
上記のような問題点を解決するために、本考案においては、コンドームの形態を構成する材料の中に、液体、半固体の性質を有し、また人体に無害な材料を用いることによって、エイズウイルスのような、小さなウイルスをろ過できる二重保護膜の役割を果たす効果によって、確実に、エイズを予防することを目的とする。
【００１０】
上記のような問題点を解決するために、本考案においては、コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことを目的とする。
【００１１】
そして、コンドームの形態を構成する材料の中に、立体図形形態の材料として、磁石を用いることによって、生理痛の改善、バギナ内の活性化及び子宮内の血液循環と内臓器官全体の血液循環などを誘導することにより、健康のためのことを目的とする。
【課題を解決するための手段】
【００１２】
本考案は、上記のような目的を達成するために、以下のような実施例が含まれる。
【００１３】
本考案の第１実施例は、コンドームの形態を構成する材料の中に、様々な機能を適用するために、異物感が感じられる材料を挿入して、装着感と性感を良くするコンドームに関する。
【００１４】
本考案の第２実施例は、第１実施例において、コンドームの形を構成する材料の中に、立体図形形態の材料が挿入されるコンドームに関する。
【００１５】
本考案の第３実施例は、第１実施例において、コンドームの形を構成する材料の中に，様々なサイズの立体図形形態の材料が挿入されるコンドームに関する。
【００１６】
本考案の第４実施例は、第１実施例において、コンドームの形を構成する材料の中に、様々な強度（硬い強度、適度な強度、滑らかな強度……）の立体図形形態の材料が挿入されるコンドームに関する。
【００１７】
本考案の第５実施例は、第１実施例において、コンドームの形を構成する材料の中に、液体、半固体の性質を有し、また人体に無害な材料と立体図形形態の材料が挿入されるコンドームに関する。
【００１８】
本考案の第６実施例は、第５実施例において、コンドームの形を構成する材料の中は、隔膜構造で分離されているコンドームに関する。
【００１９】
本考案の第７実施例は、第５実施例において、コンドームの形を構成する材料の中の分離された隔膜構造の中には、立体図形形態の材料が固定されて動くことができない隔膜があるコンドームに関する。
【００２０】
本考案の第８実施例は、第５実施例において、コンドームの形を構成する材料の中の分離された隔膜構造の中には、立体図形形態の材料が、上、下のみに動くことができる隔膜があるコンドームに関する。
【００２１】
本考案の第９実施例は、第５実施例において、コンドームの形を構成する材料の中の分離された隔膜構造の中には、立体図形形態の材料が、左、右のみに動くことができる隔膜があるコンドームに関する。
【００２２】
本考案の第１０実施例は、第５実施例において、コンドームの形を構成する材料の中の分離された隔膜構造の中には、立体図形形態の材料が、左上、右下に、または、左下、右上に動くことができる隔膜があるコンドームに関する。
【００２３】
本考案の第１１実施例は、第５実施例において、コンドームの形を構成する材料の中の分離された隔膜構造の中には、立体図形形態の材料が、四方八方に全方向移動可能な隔膜があるコンドームに関する。
【００２４】
本考案の第１２実施例は、第１実施例において、コンドームの形が横軸（行）、横軸にしわがある横しわ型であるコンドームに関する。
【００２５】
本考案の第１３実施例は、第１実施例において、コンドームの形が縦軸（列）、縦軸にしわがある縦しわ型であるコンドームに関する。
【００２６】
本考案の第１４実施例は、第１実施例において、コンドームの形が 左上、右下に、または、左下、右上にしわがあるスクリュー型であるコンドームに関する。
【００２７】
本考案の第１５実施例は、第１２、１３、１４実施例において、コンドームの形がしわ型（横軸、縦軸）及びしわがスクリュー型である陽刻（凸）の部分の材料の中に、 立体図形形態の材料が挿入されるコンドームに関する。
【００２８】
本考案の１６実施例は、第１２、１３、１４実施例において、コンドームの形がしわ型（横軸、縦軸）及びしわがスクリュー型である陽刻（凸）の部分の材料の中に、様々なサイズの立体図形形態の材料が挿入されるコンドームに関する。
【００２９】
本考案の１７実施例は、第１２、１３、１４実施例において、コンドームの形がしわ型（横軸、縦軸）及びしわがスクリュー型である陽刻（凸）の部分の材料の中に、様々な強度（硬い強度、適度な強度、滑らかな強度……）の立体図形形態の材料が挿入されるコンドームに関する。
【００３０】
本考案の１８実施例は、第１実施例において、コンドームの形がしわ型（横軸、縦軸）及びしわがスクリュー型である陽刻（凸）の部分の材料の中に、液体、半固体の性質を有し、また人体に無害な材料と立体図形形態の材料が挿入されるコンドームに関する。
【００３１】
本考案の１９実施例は、１８実施例において、コンドームの形がしわ型（横軸、縦軸）及びしわがスクリュー型である陽刻（凸）の部分の材料の中に、隔膜構造で分離されているコンドームに関する。
【００３２】
本考案の第２０実施例は、１８実施例において、コンドームの形がしわ型（横軸、縦軸）及びしわがスクリュー型である陽刻（凸）の部分の材料の中の分離された隔膜構造の中には、立体図形形態の材料が固定されて動くことができない隔膜があるコンドームに関する。
【００３３】
本考案の第２１実施例は、１８実施例において、コンドームの形がしわ型（横軸、縦軸）及びしわがスクリュー型である陽刻（凸）の部分の材料の中の分離された隔膜構造の中には、立体図形形態の材料が、上、下のみに動くことができる隔膜があるコンドームに関する。
【００３４】
本考案の第２２実施例は、１８実施例において、コンドームの形がしわ型（横軸、縦軸）及びしわがスクリュー型である陽刻（凸）の部分の材料の中の分離された隔膜構造の中には、立体図形形態の材料が 左、右のみに動くことができる隔膜があるコンドームに関する。
【００３５】
本考案の第２３実施例は、１８実施例において、コンドームの形がしわ型（横軸、縦軸）及びしわがスクリュー型である陽刻（凸）の部分の材料の中の分離された隔膜構造の中には、立体図形形態の材料が、左上、右下に、または、左下、右上に動くことができる隔膜があるコンドームに関する。
【００３６】
本考案の第２４実施例は、１８実施例において、コンドームの形がしわ型（横軸、縦軸）及びしわがスクリュー型である陽刻（凸）の部分の材料の中の分離された隔膜構造の中には、立体図形形態の材料が、四方八方に全方向移動可能な隔膜があるコンドームに関する。
【００３７】
本考案の第２５実施例は、第１実施例において、コンドームの形を構成する材料の中に 性器を支えるための様々な（形状、サイズ、強度）バー（BAR）が挿入されるコンドームに関する。
【００３８】
本考案の第２６実施例は、第１実施例において、コンドームの形を構成する外部が、繊毛形の材料に囲まれる繊毛型に突出するコンドームに関する。
【００３９】
本考案の第２７実施例は、第１実施例において、コンドームの形を構成する材料の中に、ビーズ形態の材料が挿入されるコンドームに関する。
【００４０】
本考案の第２８実施例は、第１実施例において、コンドームの材料は ゴム、シリコン、ポリウレタンなどにより、高弾力性の伸縮性のある様々な素材が使用されるコンドームに関する。
【００４１】
本考案の第２９実施例は、第１実施例において、コンドームの形態を構成する材料の中に挿入された立体図形形態の材料は、ゴム、シリコン、ポリウレタンなどにより、高弾力性の伸縮性のある様々な素材が使用されるコンドームに関する。
【００４２】
本考案の第３０実施例は、第１実施例において、コンドームの形を構成する材料の中に挿入された立体図形形態の材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われるコンドームに関する。
【００４３】
本考案の第３１実施例は、第１実施例において、コンドームの形態を構成する材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料が使用されるコンドームに関する。
【００４４】
本考案の第３２実施例は、第１実施例において、コンドームの形を構成する材料の中に挿入された立体図形形態の材料を囲まれる外部の膜が、特定の刺激である熱や力などを受けると、外部の膜が裂けながら、立体図形形態の中の内容物が流れ出されて、コンドームの形を構成する材料の中の液体、半固体の性質を有し、また人体に無害な材料と混合するコンドームに関する。
【００４５】
本考案の第３３実施例は、第１実施例において、コンドームの形を構成する材料の中に挿入された立体図形形態の材料は、磁石のように磁力を有する磁性物質を用いるコンドームに関する。
【００４６】
本考案の第３４実施例は、第１実施例において、コンドームの形を構成する材料の中に挿入された立体図形形態の材料の中は、空の形とし、空気や窒素などが充填される小さなボールを用いるコンドームに関する。
【００４７】
本考案の第３５実施例は、第１実施例において、コンドームの形態を構成する材料の中に挿入された立体図形形態の材料の外部を、磁力を有する磁性物質のようなものでコーティングする立体図形を用いるコンドームに関する。
【００４８】
本考案の第３６実施例は、第１実施例において、コンドームの形を構成する材料の中に挿入された立体図形形態の材料を、空気や窒素などが充填される小さなボールと、磁力を有する磁性物質及びゴム、シリコン、ポリウレタンなどを使用する高弾力性の伸縮性のある様々な素材とを混合して用いるコンドームに関する。
【００４９】
本考案の第３７実施例は、第１実施例において、コンドームには、天然のゲル及びクールなメンソールなどの様々な成分が含まれるコンドームに関する。
【考案の効果】
【００５０】
本考案によると、コンドームの形態を構成する材料の中に、様々な機能を適用するために、異物感が感じられる材料を注入及び挿入して、装着感と性感を満足できるようにすることに利点がある。
【００５１】
コンドームの形態を構成する材料の中に、液体、半固体の性質を有し、また人体に無害な材料を使用することによって、よく裂けられないため、超薄膜コンドームの場合のように、コンドームの裂けによる望まない妊娠を予防することに利点がある。
【００５２】
異物感が感じられる材料を注入及び挿入して、女性にもっと満足感を与えると同時に、男性も満足させることに利点がある。
【００５３】
コンドームの形態を構成する材料の中に、液体、半固体の性質を有し、また人体に無害な  材料を使用することにより、エイズウイルスのような、小さなウイルスをろ過できる二重保護膜の役割を果たす効果によって、確実に、エイズを予防することに利点がある。
【００５４】
コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことに利点がある。
【００５５】
コンドームの形態を構成する材料の中に、立体図形形態の材料を、磁石を用いることによって、生理痛の改善、バギナ内の活性化及び子宮内の血液循環と内臓器官全体の血液循環などを誘導することにより、健康のためのことに利点がある。
【００５６】
コンドームの形を構成する外部を、繊毛形の材料に囲まれるようにして、性感が満足できるように改善することに利点がある。
【図面の簡単な説明】
【００５７】
添付された図面は、本考案の好ましい実施例を例示するものであり、考案の説明とともに、本考案の技術をさらに理解させる役割をするものであって、図面に記載された事項に限定されて、解釈されるものではない。
【００５８】
【図１】本考案に係るコンドームの形態を構成する材料の中に、様々なサイズ、様々な強度の立体図形形態としての丸形ボールの形態材料が挿入される、コンドームの例を説明するための説明図
【図２】本考案に係るコンドームの形態を構成する材料の中に、立体図形形態としての丸形ボールの形態材料が挿入され、液体、半固体の材料が注入することもできる、コンドームを示す説明図
【図３】本考案に係るコンドームの形が、しわ型（行、列）及びしわがスクリュー型である陽刻（凸）の部分に、立体図形形態としての丸形ボールの形態材料が挿入される、コンドームを示す説明図
【図４】本考案に係るコンドームの形が、しわ型（行、列）及びしわがスクリュー型である陽刻（凸）の部分の材料の中に、液体、半固体の材料が注入され、立体図形形態の材料が挿入される、コンドームを示す説明図
【図５】本考案に係るコンドームの形態を構成する材料の中に、性器を支えるための様々な（形状、サイズ、強度）バーが挿入され、液体、半固体の材料が注入されることもできるコンドームを示す説明図
【図６】本考案に係るコンドームの形を構成する外部が、繊毛形の材料に囲まれ、液体、半固体の材料が注入することもできる、コンドームを示す説明図
【００５９】
（考案を実施するための最善の形態）
本考案に係るコンドーム１０の形態を構成する材料の中２０に、様々なサイズ、様々な強度の立体図形形態４０としての丸形ボールの形態材料が挿入されるコンドーム１０は、形態を構成する材料の中２０に、様々なサイズと様々な強度の立体図形形態４０としてのビーズ形態の材料が挿入されていることを特徴とする。
【００６０】
様々なサイズと様々な強度の立体図形形態材料４０は、ビーズの形であってもいいし、 回転体、錐、柱、錐台、多面体、球、立体球、丸形球、ドーナツ形など、様々な形であってもよく、様々な機能を適用するために、異物感が感じられるだけでいい。
【００６１】
コンドームの形態を構成する材料の中２０に、液体、半固体の性質を有し、また人体に無害な材料８０が注入されることもできる、コンドームに具現することができる。
【００６２】
また、本考案のコンドームの形態を構成する材料の中２０を、隔膜構造３０にして、液体、半固体の性質を有し、また人体に無害な材料が、一方に集まることを防ぐことができる。
【００６３】
また、本考案に係るコンドームは、本考案のコンドームの形態を構成する材料の中２０を、隔膜構造３０にして、隔膜構造内でのみ、立体図形としてのビーズ４０が、ただ定められた範囲内で動くようにして、ビーズ４０が、一方に傾くことを防ぐこともできる。
【考案を実施するための形態】
【００６４】
以下の内容は、単に本考案の原理に関して例示する。したがって、当業者は、たとえ本明細書に明確に説明したり、図示されていなかったが、本考案の原理を具現し、本考案の概念と範囲に含まれている様々な製品を考案することができるものである。また、本明細書に記載されたすべての条件付きの用語及び実施例は、原則として、本考案の概念が理解されるようにするための目的でのみ、明らかに意図され、このように、特別に列挙された実施例及び状態に制限的でない。また、本考案の原理、観点及び実施例と同様に、特定の実施例を列挙するすべての詳細な説明は、これらの事項の構造及び機能的均等物を含むように，意図されている。また、これらの均等物は、現在の公知の均等物だけでなく、将来に開発される均等物、即ち、構造とは関係なく、同じ機能を実行するように考案されるすべてを含んでいる。
【００６５】
上述の目的、特徴及び利点は、添付された図面と関連される以下の詳細な説明を通じて、さらに明らかになる。本考案を説明するにおいて、関連される公知技術に対する具体的な説明が、本考案の要旨を不必要に曖昧にすることができていると判断される場合、その詳細な説明を省略したり、簡単に説明することとする。
【００６６】
以下、図面を参照して本考案の好ましい実施例について詳細に説明する。
【００６７】
図１は、本考案に係るコンドーム１０の形態を構成する材料の中２０に、様々なサイズ、様々な強度の立体図形形態４０としてのビーズ形態の材料が挿入される、コンドーム１０に関する例を説明するための図である。
【００６８】
本考案に係るコンドーム１０は、形態を構成する材料の中２０に、様々なサイズと様々な強度の立体図形形態４０としてのビーズ形態の材料が挿入されていることを特徴とする。
【００６９】
本考案に係るコンドーム１０は、様々なサイズと様々な強度の立体図形形態の材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００７０】
コンドームの形態を構成する材料の中２０に、液体、半固体の性質を有し、また人体に無害な材料８０が注入されることもできる、コンドームに具現することができる。
【００７１】
また、本考案のコンドームの形態を構成する材料の中２０を、隔膜構造３０にして、液体、半固体の性質を有し、また人体に無害な材料が、一方に集まることを防ぐことができる。
【００７２】
また、本考案のコンドームの形態を構成する材料の中２０を、隔膜構造３０にして、隔膜構造内でのみ立体図形としてのビーズ４０が、ただ定められた範囲内で動くようにして、ビーズ４０が、一方に傾くことを防ぐこともできる。
【００７３】
図２は、本考案に係るコンドームの形態を構成する材料の中に、立体図形形態としての丸形ボールの形態材料が挿入され、液体、半固体の材料が注入することもできるコンドームを示す図である。        
【００７４】
本考案に係るコンドーム１０は、形態を構成する材料の中２０に、様々なサイズと様々な強度の立体図形形態４０としてのビーズ形態の材料が挿入されていることを特徴とする。
【００７５】
本考案に係るコンドーム１０は、様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００７６】
コンドームの形態を構成する材料の中２０に、液体、半固体の性質を有し、また人体に無害な材料８０が注入されることもできる、コンドームに具現することができる。
【００７７】
また、本考案のコンドームの形態を構成する材料の中２０を、隔膜構造３０にして、液体、半固体の性質を有し、また人体に無害な材料が、一方に集まることを防ぐことができる。
【００７８】
また、本考案のコンドームの形態を構成する材料の中２０を、隔膜構造３０にして、隔膜構造内でのみ、立体図形としてのビーズ４０が、ただ定められた範囲内で動くようにして、ビーズ４０が、一方に傾くことを防ぐこともできる。
【００７９】
図３は、本考案に係るコンドームの形が、しわ型（行、列）及びしわ５０がスクリュー型である陽刻（凸）の部分に、立体図形形態としての丸形ボール４０形態の材料が挿入される、コンドームを示す図である。
【００８０】
本考案に係るコンドーム１０は、 形態を構成する材料の中２０の一部が、しわ型（行、列）及びしわ５０がスクリュー型である陽刻（凸）の部分に、様々なサイズと様々な強度の立体図形形態４０としてのビーズ形態の材料が挿入されていることを特徴とする。
【００８１】
本考案に係るコンドーム１０は、 様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００８２】
図４は、本考案に係るコンドームの形が、しわ型（行、列）及びしわ５０がスクリュー型である陽刻（凸）の部分の材料の中に、液体、半固体の材料８０が注入され、立体図形形態４０の材料が挿入されるコンドームを示す図である。
【００８３】
本考案に係るコンドーム１０は、形態を構成する材料の中２０の一部が、しわ型（行、列）及びしわ５０がスクリュー型である陽刻（凸）の部分に、様々なサイズと様々な強度の立体図形形態４０としてのビーズ形態の材料が挿入されていることを特徴とする。
【００８４】
本考案に係るコンドーム１０は、 様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００８５】
コンドームの形態を構成する材料の中２０に、液体、半固体の性質を有し、また人体に無害な材料８０が注入されることもできるコンドームに具現することができる。
【００８６】
また、本考案のコンドームの形態を構成する材料の中２０を、隔膜構造３０にして、液体、半固体の性質を有し、また人体に無害な材料が、一方に集まることを防ぐことができる。
【００８７】
また、本考案のコンドームの形態を構成する材料の中２０を、隔膜構造３０にして、隔膜構造内でのみ立体図形としてのビーズ４０が、ただ定められた範囲内で動くようにして、ビーズ４０が、一方に傾くことを防ぐこともできる。
【００８８】
図５は、本考案に係るコンドームの形態を構成する材料の中２０に、性器を支えるための様々な(形状、サイズ、強度) バー６０が挿入され、液体、半固体の材料８０が注入されることもできるコンドームを示す図である。
【００８９】
本考案に係るコンドーム１０は、形態を構成する材料の中２０に、性器を支えるための様々な(形状、サイズ、強度)バー６０が挿入されていることを特徴とする。
【００９０】
本考案に係るコンドーム１０は、形態を構成する材料の中２０に、様々な(形状、サイズ、強度) バー６０が挿入されているが、性器を支えるための機能だけあればいい。
【００９１】
本考案に係るコンドーム１０は、様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００９２】
コンドームの形態を構成する材料の中２０に、液体、半固体の性質を有し、また人体に無害な材料８０が注入されることもできるコンドームに具現することができる。
【００９３】
また、本考案のコンドームの形態を構成する材料の中２０を、隔膜構造３０にして、液体、半固体の性質を有し、また人体に無害な材料が、一方に集まることを防ぐことができる。
【００９４】
また、本考案のコンドームの形態を構成する材料の中２０を、隔膜構造３０にして、隔膜構造内でのみ、立体図形としてのビーズ４０が、ただ定められた範囲内で動くようにして、ビーズ40が、一方に傾くことを防ぐこともできる。
【００９５】
図６は、本考案に係るコンドームの形を構成する外部が、繊毛形の材料７０に囲まれ、液体、半固体の材料８０が注入されることもできるコンドームを示す図である。
【００９６】
本考案に係るコンドーム１０は、形態を構成する材料の外部が、繊毛型７０に突出することを特徴とする。
【００９７】
本考案に係るコンドーム１０は、形態を構成する材料の外部が、繊毛形７０に突出されているが、様々な形態、様々なサイズ及び様々な強度を持つことができ,様々な機能を適用するために、異物感が感じられるだけでいい。
【００９８】
コンドームの形態を構成する材料の中２０に、液体、半固体の性質を有し、また人体に無害な材料８０が注入されることもできるコンドームに具現することができる。
【００９９】
また、本考案のコンドームの形態を構成する材料の中２０を、隔膜構造３０にして、液体、半固体の性質を有し、また人体に無害な材料が、一方に集まることを防ぐことができる。
【０１００】
本考案によると、コンドームの形態を構成する材料の中に、様々な機能を適用するために、 異物感が感じられる材料を注入及び挿入して、装着感と性感を満足させるようにできる。
【０１０１】
コンドームの形態を構成する材料の中に、液体、半固体の性質を有し、また人体に無害な材料を使用することによって、よく裂けられないため、超薄膜コンドームの場合のように、コンドームの裂けによる望まない妊娠を予防することが可能である。
【０１０２】
異物感が感じられる材料を注入及び挿入して、女性にもっと満足感を与えると同時に、男性も満足させることも可能である。
【０１０３】
コンドームの形態を構成する材料の中に、液体、半固体の性質を有し、また人体に無害な材料を使用することにより、エイズウイルスのような、小さなウイルスをろ過できる二重保護膜の役割を果たす効果によって、確実に、エイズを予防する機能を実行する。
【０１０４】
コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことが可能である。
【０１０５】
コンドームの形態を構成する材料の中に、立体図形形態の材料を磁石を用いることによって、生理痛の改善、バギナ内の活性化及び子宮内の血液循環と内臓器官全体の血液循環などを誘導することにより、健康のための機能を実行することが可能である。
【０１０６】
コンドームの形を構成する外部を、繊毛形の材料に囲まれるようにして、性感を満足させるように改善することが可能である。
【０１０７】
本考案によると、コンドームの形態を構成する材料の中に、様々な機能を適用するために、 異物感が感じられる材料を挿入して装着感と性感を良くするコンドームとして、コンドームの形態を構成する材料の中に、立体図形形態の材料が挿入されるコンドームであり、コンドームの形態を構成する材料の中に、様々なサイズの立体図形形態の材料が挿入されるコンドームであり、コンドームの形態を構成する材料の中に、様々な強度（硬い強度、適度な強度、滑らかな強度……）の立体図形形態の材料が挿入されるコンドームである。
【０１０８】
また、コンドームの形態を構成する材料の中に、様々な機能を適用するために、異物感が感じられる材料を挿入して、装着感と性感を良くするコンドームとして、コンドームの形態を構成する材料の中に、液体、半固体の性質を有し、また人体に無害な材料と立体図形形態の材料が挿入されるコンドームであり、コンドームの形態を構成する材料の中は、隔膜構造で分離されているコンドームであり、コンドームの形を構成する材料の中の分離されている隔膜構造の中には、立体図形形態の材料が固定されて動くことができない隔膜があるコンドームであり、コンドームの形を構成する材料の中の分離されている隔膜構造の中には、立体図形形態の材料が、上、下のみに動くことができる隔膜があるコンドームであり、コンドームの形を構成する材料の中の分離された隔膜構造の中には、立体図形形態の材料が、左、右のみに動くことができる隔膜があるコンドームであり、コンドームの形を構成する材料の中の分離された隔膜構造の中には、立体図形形態の材料が、左上、右下に、または、左下、右上に動くことができる隔膜があるコンドームであり、コンドームの形を構成する材料の中の分離された隔膜構造の中には、立体図形形態の材料が、四方八方に全方向移動可能な隔膜があるコンドームである。
【０１０９】
また、コンドームの形態を構成する材料の中に、様々な機能を適用するために、異物感が感じられる材料を挿入して装着感と性感を良くするコンドームとして、コンドームの形が、 横軸（行）、横軸にしわがある横しわ型であるコンドームであり、コンドームの形が、縦軸（列）、縦軸にしわがある縦しわ型であるコンドームであり、コンドームの形が、左上、右下に、または、左下、右上にしわがあるスクリュー型であるコンドームであり、コンドームの形がしわ型（横軸、縦軸）及びしわがスクリュー型である陽刻（凸）の部分の材料の中に、立体図形形態の材料が挿入されるコンドームであり、コンドームの形が しわ型（横軸、縦軸）、及びしわがスクリュー型である陽刻（凸）の部分の材料の中に、様々なサイズの立体図形形態材料が挿入されるコンドームであり、コンドームの形がしわ型（横軸、縦軸）及びしわがスクリュー型である陽刻（凸）の部分の材料の中に、様々な強度（硬い強度、適度な強度、滑らかな強度……）の立体図形形態の材料が挿入されるコンドームである。
【０１１０】
また、コンドームの形態を構成する材料の中に、様々な機能を適用するために、異物感が感じられる材料を挿入して装着感と性感を良くするコンドームとして、コンドームの形が、 しわ型（横軸、縦軸）、及びしわがスクリュー型である陽刻（凸）の部分の材料の中に、液体、半固体の性質を有し、また人体に無害な材料と立体図形形態の材料が挿入されるコンドームであり、コンドームの形がしわ型（横軸、縦軸）及びしわがスクリュー型である陽刻（凸）の部分の材料の中に、隔膜構造で分離されているコンドームであり、コンドームの形がしわ型（横軸、縦軸）及びしわがスクリュー型である陽刻（凸）の部分の材料の中の分離された隔膜構造の中には、立体図形形態の材料が固定されて動くことができない隔膜があるコンドームであり、コンドームの形がしわ型（横軸、縦軸）及びしわがスクリュー型である陽刻（凸）の部分の材料の中の分離された隔膜構造の中には、立体図形形態の材料が上、下のみに動くことができる隔膜がある コンドームであり、コンドームの形がしわ型（横軸、縦軸）及びしわがスクリュー型である陽刻（凸）の部分の材料の中の分離された隔膜構造の中には、立体図形形態の材料が、左、右のみに動くことができる隔膜があるコンドームであり、コンドームの形がしわ型（横軸、縦軸）及びしわがスクリュー型である陽刻（凸）の部分の材料の中の分離された隔膜構造の中には、立体図形形態の材料が左上、右下に、または、左下、右上に動くことができる隔膜があるコンドームであり、コンドームの形がしわ型（横軸、縦軸）及びしわがスクリュー型である陽刻（凸）の部分の材料の中の分離された隔膜構造の中には、立体図形形態の材料が四方八方に全方向移動可能な隔膜があるコンドームである。
【０１１１】
また、コンドームの形態を構成する材料の中に、様々な機能を適用するために、異物感が感じられる材料を挿入して、装着感と性感を良くするコンドームとして、コンドームの形態を構成する材料の中に、性器を支えるための様々な（形状、サイズ、強度）バーが挿入されるコンドームである。
【０１１２】
また、コンドームの形態を構成する材料の中に、様々な機能を適用するために、異物感が感じられる材料を挿入して、装着感と性感を良くするコンドームとして、コンドームの形を構成する外部が、繊毛形の材料に囲まれ、繊毛形に突出されるコンドームである。
【０１１３】
コンドームの形態を構成する材料の中に、様々な機能を適用するために、異物感が感じられる材料を挿入して、装着感と性感を良くするコンドームの形態を構成する材料の中に、ビーズ形態の材料が挿入されるコンドームである。
【０１１４】
コンドームの形態を構成する材料の中に、様々な機能を適用するために、異物感が感じられる材料を挿入して、装着感と性感を良くするコンドームの材料は、ゴム、シリコン、ポリウレタンなどにより、高弾力性の伸縮性のある様々な素材が使用されるコンドームである。
【０１１５】
コンドームの形態を構成する材料の中に、様々な機能を適用するために、異物感が感じられる材料を挿入して、装着感と性感を良くするコンドームの形態を構成する材料の中に挿入された立体図形形態の材料は、ゴム、シリコン、ポリウレタンなどにより、高弾力性の伸縮性のある様々な素材が使用されるコンドームである。
【０１１６】
コンドームの形態を構成する材料の中に、様々な機能を適用するために、異物感が感じられる材料を挿入して、装着感と性感を良くするコンドームの形態を構成する材料の中に挿入された立体図形形態の材料の中に、生理食塩水、シリコーンゲル、凝集性シリコーンゲル、ダブルルーメン、カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われるコンドームである。
【０１１７】
コンドームの形態を構成する材料の中に、様々な機能を適用するために、異物感が感じられる材料を挿入して、装着感と性感を良くするコンドームの形態を構成する材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料が使用されるコンドームである。
【０１１８】
コンドームの形態を構成する材料の中に、様々な機能を適用するために、異物感が感じられる材料を挿入して、装着感と性感を良くするコンドームの形態を構成する材料の中に挿入された立体図形形態の材料を囲まれる外部の膜が、特定の刺激である熱や力などを受けると、外部の膜が裂けながら、立体図形形態の中の内容物が流れ出されて、コンドームの形を構成する材料の中の液体、半固体の性質を有し、また人体に無害な材料と混ぜられるコンドームである。
【０１１９】
コンドームの形態を構成する材料の中に 様々な機能を適用するために 異物感が感じられる材料を挿入して、装着感と性感を良くする コンドームの形態を構成する材料の中に 挿入される 立体図形形態の材料は、磁石のように磁力を有する磁性物質を用いるコンドームである。
【０１２０】
コンドームの形態を構成する材料の中に挿入された立体図形形態の材料の中は、空の形とし、空気や窒素などが充填される小さなボールを用いるコンドームである。
【０１２１】
コンドームの形態を構成する材料の中に挿入された立体図形形態の材料の外部を、磁力を有する磁性物質のようなものでコーティングする立体図形を用いるコンドームである。
【０１２２】
コンドームの形態を構成する材料の中に挿入された立体図形形態の材料を、空気や窒素などが充填される小さなボールと、磁力を有する磁性物質及びゴム、シリコン、ポリウレタンなどを使用する高弾力性の伸縮性のある様々な素材とを混合して用いるコンドームである。
【０１２３】
コンドームの形態を構成する材料の中に、様々な機能を適用するために、異物感が感じられる材料を挿入して、装着感と性感を良くするコンドームには、天然のゲル及びクールなメンソールなどの様々な成分が含まれるコンドームである。
【産業上の利用可能性】
【０１２４】
本考案に係るコンドーム１０の形態を構成する材料の中２０に、様々なサイズ、様々な強度の立体図形形態４０としての丸形ボールの形態材料が挿入されるコンドーム１０は、形態を構成する材料の中２０に、様々なサイズと様々な強度の立体図形形態４０としてのビーズ形態の材料が挿入されていることを特徴とする。
【０１２５】
様々なサイズと様々な強度の立体図形形態材料４０は、ビーズの形であってもいいし、 回転体、錐、柱、錐台、多面体、球、立体球、丸形球、ドーナツ形など、様々な形であってもよく、様々な機能を適用するために、異物感が感じられるだけでいい。
【０１２６】
コンドームの形態を構成する材料の中２０に、液体、半固体の性質を有し、また人体に無害な材料８０が注入されることもできるコンドームに具現することができる。
【配列表フリーテキスト】
【０１２７】
図１は、本考案に係るコンドームの形態を構成する材料の中に、様々なサイズ、様々な強度の立体図形形態としての丸形ボールの形態材料が挿入されるコンドームの例を説明するための図である。
【０１２８】
図２は、本考案に係るコンドームの形態を構成する材料の中に、立体図形形態としての丸形ボールの形態材料が挿入され、液体、半固体の材料が注入することもできるコンドームを示す図である。
【０１２９】
図３は、本考案に係るコンドームの形が、しわ型（行、列）及びしわがスクリュー型である陽刻（凸）の部分に、立体図形形態としての丸形ボールの形態材料が挿入される、コンドームを示す図である。
【０１３０】
図４は、本考案に係るコンドームの形が、しわ型（行、列）及びしわがスクリュー型である陽刻（凸）の部分の材料の中に、液体、半固体の材料が注入され、立体図形形態の材料が挿入される コンドームを示す図である。
【０１３１】
図５は、本考案に係るコンドームの形態を構成する材料の中に 性器を支えるための様々な（形状、サイズ、強度）バーが挿入され、液体、半固体の材料が注入することもできるコンドームを示す図である。
【０１３２】
図６は、本考案に係るコンドームの形を構成する外部が、繊毛形の材料に囲まれ、 液体、半固体の材料が注入することもできるコンドームを示す図である。
【符号の説明】
【０１３３】
１０    コンドーム
２０    コンドーム形態構成
３０    隔膜構造
４０    立体図形形態材料
５０    しわ形態構成(凸)
６０    バー（BAR)形態材料
７０    繊毛形態材料(繊毛突出型)
８０    液体、半固体の性質を有し、また人体に無害な材料
【図１】
0003213164.tif 000003
【図２】
0003213164.tif 000004
【図３】
0003213164.tif 000005
【図４】
0003213164.tif 000006
【図５】
0003213164.tif 000007
【図６】
0003213164.tif 000008
【手続補正書】
【提出日】平成28年7月11日(2016.7.11)
【手続補正１】
【補正対象書類名】明細書
【補正対象項目名】全文
【補正方法】変更
【補正の内容】
【考案の詳細な説明】
【技術分野】
【０００１】
本考案は、異物感が感じられる材料を入れたコンドームに関し、さらに詳しくは、コンドームの形態を構成する材料の中に、様々な機能を適用するために、異物感が感じられる材料を、注入及び挿入して、装着感と性感を満足できるように変えられてくれる機能に関するものである。
【背景技術】
【０００２】
一般的に、コンドームは、装着感、機能、素材などには、気にせず、耐久性などの固有の機能のみに着目することで、 性感が満足できない問題がある。
【０００３】
超薄膜コンドームの場合は、過激な性交をすると、コンドームの裂けによって、望まない妊娠をする欠点がある。
【０００４】
超薄膜コンドームの場合は、一般的に、男性を最も満足させるが、女性を満足させるには、不十分な部分がある。
【０００５】
また、一般的なコンドームの場合は、エイズウイルスのサイズが、コンドーム材の微細穴よりも小さいサイズのため、ウイルスが簡単にホールを通じて、浸透することもできており、エイズの予防効果に意味がないのである。
【考案の概要】
【考案が解決しようとする課題】
【０００６】
本考案は、上記のような問題点を解決するために案出されるものであり、本考案は、コンドームの形を構成する材料の中に、様々な機能を適用するために、異物感が感じられる材料を注入及び挿入して、装着感と性感を満足できるように変えられてくれることを目的とする。
【０００７】
上記のような問題点を解決するために、本考案においては、コンドームの形態を構成する材料の中に、液体、半固体の性質を有し、また人体に無害な材料を用いることによって、よく裂けられないため、超薄膜コンドームの場合のように、コンドームの裂けによる望まない妊娠を予防することを目的とする。
【０００８】
上記のような問題点を解決するために、本考案においては、異物感が感じられる材料を注入及び挿入して、女性にもっと満足感を与えると同時に、男性も満足させることを目的とする。
【０００９】
上記のような問題点を解決するために、本考案においては、コンドームの形態を構成する材料の中に、液体、半固体の性質を有し、また人体に無害な材料を用いることによって、エイズウイルスのような、小さなウイルスをろ過できる二重保護膜の役割を果たす効果によって、確実に、エイズを予防することを目的とする。
【００１０】
上記のような問題点を解決するために、本考案においては、コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことを目的とする。
【００１１】
そして、コンドームの形態を構成する材料の中に、立体図形形態の材料として、磁石を用いることによって、生理痛の改善、バギナ内の活性化及び子宮内の血液循環と内臓器官全体の血液循環などを誘導することにより、健康のためのことを目的とする。
【課題を解決するための手段】
【００１２】
本考案は、上記のような目的を達成するために、以下のような実施例が含まれる。
【００１３】
本考案の第１実施例は、コンドームの形態を構成する材料の中に、様々な機能を適用するために、異物感が感じられる材料を挿入して、装着感と性感を良くするコンドームに関する。
【００１４】
本考案の第２実施例は、第１実施例において、コンドームの形を構成する材料の中に、立体図形形態の材料が挿入されるコンドームに関する。
【００１５】
本考案の第３実施例は、第１実施例において、コンドームの形を構成する材料の中に，様々なサイズの立体図形形態の材料が挿入されるコンドームに関する。
【００１６】
本考案の第４実施例は、第１実施例において、コンドームの形を構成する材料の中に、様々な強度（硬い強度、適度な強度、滑らかな強度……）の立体図形形態の材料が挿入されるコンドームに関する。
【００１７】
本考案の第５実施例は、第１実施例において、コンドームの形を構成する材料の中に、液体、半固体の性質を有し、また人体に無害な材料と立体図形形態の材料が挿入されるコンドームに関する。
【００１８】
本考案の第６実施例は、第５実施例において、コンドームの形を構成する材料の中は、隔膜構造で分離されているコンドームに関する。
【００１９】
本考案の第７実施例は、第５実施例において、コンドームの形を構成する材料の中の分離された隔膜構造の中には、立体図形形態の材料が固定されて動くことができない隔膜があるコンドームに関する。
【００２０】
本考案の第８実施例は、第５実施例において、コンドームの形を構成する材料の中の分離された隔膜構造の中には、立体図形形態の材料が、上、下のみに動くことができる隔膜があるコンドームに関する。
【００２１】
本考案の第９実施例は、第５実施例において、コンドームの形を構成する材料の中の分離された隔膜構造の中には、立体図形形態の材料が、左、右のみに動くことができる隔膜があるコンドームに関する。
【００２２】
本考案の第１０実施例は、第５実施例において、コンドームの形を構成する材料の中の分離された隔膜構造の中には、立体図形形態の材料が、左上、右下に、または、左下、右上に動くことができる隔膜があるコンドームに関する。
【００２３】
本考案の第１１実施例は、第５実施例において、コンドームの形を構成する材料の中の分離された隔膜構造の中には、立体図形形態の材料が、四方八方に全方向移動可能な隔膜があるコンドームに関する。
【００２４】
本考案の第１２実施例は、第１実施例において、コンドームの形が横軸（行）、横軸にしわがある横しわ型であるコンドームに関する。
【００２５】
本考案の第１３実施例は、第１実施例において、コンドームの形が縦軸（列）、縦軸にしわがある縦しわ型であるコンドームに関する。
【００２６】
本考案の第１４実施例は、第１実施例において、コンドームの形が 左上、右下に、または、左下、右上にしわがあるスクリュー型であるコンドームに関する。
【００２７】
本考案の第１５実施例は、第１２、１３、１４実施例において、コンドームの形がしわ型（横軸、縦軸）及びしわがスクリュー型である陽刻（凸）の部分の材料の中に、 立体図形形態の材料が挿入されるコンドームに関する。
【００２８】
本考案の１６実施例は、第１２、１３、１４実施例において、コンドームの形がしわ型（横軸、縦軸）及びしわがスクリュー型である陽刻（凸）の部分の材料の中に、様々なサイズの立体図形形態の材料が挿入されるコンドームに関する。
【００２９】
本考案の１７実施例は、第１２、１３、１４実施例において、コンドームの形がしわ型（横軸、縦軸）及びしわがスクリュー型である陽刻（凸）の部分の材料の中に、様々な強度（硬い強度、適度な強度、滑らかな強度……）の立体図形形態の材料が挿入されるコンドームに関する。
【００３０】
本考案の１８実施例は、第１実施例において、コンドームの形がしわ型（横軸、縦軸）及びしわがスクリュー型である陽刻（凸）の部分の材料の中に、液体、半固体の性質を有し、また人体に無害な材料と立体図形形態の材料が挿入されるコンドームに関する。
【００３１】
本考案の１９実施例は、１８実施例において、コンドームの形がしわ型（横軸、縦軸）及びしわがスクリュー型である陽刻（凸）の部分の材料の中に、隔膜構造で分離されているコンドームに関する。
【００３２】
本考案の第２０実施例は、１８実施例において、コンドームの形がしわ型（横軸、縦軸）及びしわがスクリュー型である陽刻（凸）の部分の材料の中の分離された隔膜構造の中には、立体図形形態の材料が固定されて動くことができない隔膜があるコンドームに関する。
【００３３】
本考案の第２１実施例は、１８実施例において、コンドームの形がしわ型（横軸、縦軸）及びしわがスクリュー型である陽刻（凸）の部分の材料の中の分離された隔膜構造の中には、立体図形形態の材料が、上、下のみに動くことができる隔膜があるコンドームに関する。
【００３４】
本考案の第２２実施例は、１８実施例において、コンドームの形がしわ型（横軸、縦軸）及びしわがスクリュー型である陽刻（凸）の部分の材料の中の分離された隔膜構造の中には、立体図形形態の材料が 左、右のみに動くことができる隔膜があるコンドームに関する。
【００３５】
本考案の第２３実施例は、１８実施例において、コンドームの形がしわ型（横軸、縦軸）及びしわがスクリュー型である陽刻（凸）の部分の材料の中の分離された隔膜構造の中には、立体図形形態の材料が、左上、右下に、または、左下、右上に動くことができる隔膜があるコンドームに関する。
【００３６】
本考案の第２４実施例は、１８実施例において、コンドームの形がしわ型（横軸、縦軸）及びしわがスクリュー型である陽刻（凸）の部分の材料の中の分離された隔膜構造の中には、立体図形形態の材料が、四方八方に全方向移動可能な隔膜があるコンドームに関する。
【００３７】
本考案の第２５実施例は、第１実施例において、コンドームの形を構成する材料の中に 性器を支えるための様々な（形状、サイズ、強度）バー（BAR）が挿入されるコンドームに関する。
【００３８】
本考案の第２６実施例は、第１実施例において、コンドームの形を構成する外部が、繊毛形の材料に囲まれる繊毛型に突出するコンドームに関する。
【００３９】
本考案の第２７実施例は、第１実施例において、コンドームの形を構成する材料の中に、ビーズ形態の材料が挿入されるコンドームに関する。
【００４０】
本考案の第２８実施例は、第１実施例において、コンドームの材料は ゴム、シリコン、ポリウレタンなどにより、高弾力性の伸縮性のある様々な素材が使用されるコンドームに関する。
【００４１】
本考案の第２９実施例は、第１実施例において、コンドームの形態を構成する材料の中に挿入された立体図形形態の材料は、ゴム、シリコン、ポリウレタンなどにより、高弾力性の伸縮性のある様々な素材が使用されるコンドームに関する。
【００４２】
本考案の第３０実施例は、第１実施例において、コンドームの形を構成する材料の中に挿入された立体図形形態の材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われるコンドームに関する。
【００４３】
本考案の第３１実施例は、第１実施例において、コンドームの形態を構成する材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料が使用されるコンドームに関する。
【００４４】
本考案の第３２実施例は、第１実施例において、コンドームの形を構成する材料の中に挿入された立体図形形態の材料を囲まれる外部の膜が、特定の刺激である熱や力などを受けると、外部の膜が裂けながら、立体図形形態の中の内容物が流れ出されて、コンドームの形を構成する材料の中の液体、半固体の性質を有し、また人体に無害な材料と混合するコンドームに関する。
【００４５】
本考案の第３３実施例は、第１実施例において、コンドームの形を構成する材料の中に挿入された立体図形形態の材料は、磁石のように磁力を有する磁性物質を用いるコンドームに関する。
【００４６】
本考案の第３４実施例は、第１実施例において、コンドームの形を構成する材料の中に挿入された立体図形形態の材料の中は、空の形とし、空気や窒素などが充填される小さなボールを用いるコンドームに関する。
【００４７】
本考案の第３５実施例は、第１実施例において、コンドームの形態を構成する材料の中に挿入された立体図形形態の材料の外部を、磁力を有する磁性物質のようなものでコーティングする立体図形を用いるコンドームに関する。
【００４８】
本考案の第３６実施例は、第１実施例において、コンドームの形を構成する材料の中に挿入された立体図形形態の材料を、空気や窒素などが充填される小さなボールと、磁力を有する磁性物質及びゴム、シリコン、ポリウレタンなどを使用する高弾力性の伸縮性のある様々な素材とを混合して用いるコンドームに関する。
【００４９】
本考案の第３７実施例は、第１実施例において、コンドームには、天然のゲル及びクールなメンソールなどの様々な成分が含まれるコンドームに関する。
【考案の効果】
【００５０】
本考案によると、コンドームの形態を構成する材料の中に、様々な機能を適用するために、異物感が感じられる材料を注入及び挿入して、装着感と性感を満足できるようにすることに利点がある。
【００５１】
コンドームの形態を構成する材料の中に、液体、半固体の性質を有し、また人体に無害な材料を使用することによって、よく裂けられないため、超薄膜コンドームの場合のように、コンドームの裂けによる望まない妊娠を予防することに利点がある。
【００５２】
異物感が感じられる材料を注入及び挿入して、女性にもっと満足感を与えると同時に、男性も満足させることに利点がある。
【００５３】
コンドームの形態を構成する材料の中に、液体、半固体の性質を有し、また人体に無害な  材料を使用することにより、エイズウイルスのような、小さなウイルスをろ過できる二重保護膜の役割を果たす効果によって、確実に、エイズを予防することに利点がある。
【００５４】
コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことに利点がある。
【００５５】
コンドームの形態を構成する材料の中に、立体図形形態の材料を、磁石を用いることによって、生理痛の改善、バギナ内の活性化及び子宮内の血液循環と内臓器官全体の血液循環などを誘導することにより、健康のためのことに利点がある。
【００５６】
コンドームの形を構成する外部を、繊毛形の材料に囲まれるようにして、性感が満足できるように改善することに利点がある。
【図面の簡単な説明】
【００５７】
添付された図面は、本考案の好ましい実施例を例示するものであり、考案の説明とともに、本考案の技術をさらに理解させる役割をするものであって、図面に記載された事項に限定されて、解釈されするものではない。
【００５８】
【図１】本考案に係るコンドームの形態を構成する材料の中に、様々なサイズ、様々な強度の立体図形形態としての丸形ボールの形態材料が挿入される、コンドームの例を説明するための説明図
【図２】本考案に係るコンドームの形態を構成する材料の中に、立体図形形態としての丸形ボールの形態材料が挿入され、液体、半固体の材料が注入することもできる、コンドームを示す説明図
【図３】本考案に係るコンドームの形が、しわ型（行、列）及びしわがスクリュー型である陽刻（凸）の部分に、立体図形形態としての丸形ボールの形態材料が挿入される、コンドームを示す説明図
【図４】本考案に係るコンドームの形が、しわ型（行、列）及びしわがスクリュー型である陽刻（凸）の部分の材料の中に、液体、半固体の材料が注入され、立体図形形態の材料が挿入される、コンドームを示す説明図
【図５】本考案に係るコンドームの形態を構成する材料の中に、性器を支えるための様々な（形状、サイズ、強度）バーが挿入され、液体、半固体の材料が注入されることもできるコンドームを示す説明図
【図６】本考案に係るコンドームの形を構成する外部が、繊毛形の材料に囲まれ、液体、半固体の材料が注入することもできる、コンドームを示す説明図
【００５９】
（考案を実施するための最善の形態）
本考案に係るコンドーム１０の形態を構成する材料の中２０に、様々なサイズ、様々な強度の立体図形形態４０としての丸形ボールの形態材料が挿入されるコンドーム１０は、形態を構成する材料の中２０に、様々なサイズと様々な強度の立体図形形態４０としてのビーズ形態の材料が挿入されていることを特徴とする。
【００６０】
様々なサイズと様々な強度の立体図形形態材料４０は、ビーズの形であってもいいし、 回転体、錐、柱、錐台、多面体、球、立体球、丸形球、ドーナツ形など、様々な形であってもよく、様々な機能を適用するために、異物感が感じられるだけでいい。
【００６１】
コンドームの形態を構成する材料の中２０に、液体、半固体の性質を有し、また人体に無害な材料８０が注入されることもできる、コンドームに具現することができる。
【００６２】
また、本考案のコンドームの形態を構成する材料の中２０を、隔膜構造３０にして、液体、半固体の性質を有し、また人体に無害な材料が、一方に集まることを防ぐことができる。
【００６３】
また、本考案に係るコンドームは、本考案のコンドームの形態を構成する材料の中２０を、隔膜構造３０にして、隔膜構造内でのみ、立体図形としてのビーズ４０が、ただ定められた範囲内で動くようにして、ビーズ４０が、一方に傾くことを防ぐこともできる。
【考案を実施するための形態】
【００６４】
以下の内容は、単に本考案の原理に関して例示する。したがって、当業者は、たとえ本明細書に明確に説明したり、図示されていなかったが、本考案の原理を具現し、本考案の概念と範囲に含まれている様々な製品を考案することができるものである。また、本明細書に記載されたすべての条件付きの用語及び実施例は、原則として、本考案の概念が理解されるようにするための目的でのみ、明らかに意図され、このように、特別に列挙された実施例及び状態に制限的でない。また、本考案の原理、観点及び実施例と同様に、特定の実施例を列挙するすべての詳細な説明は、これらの事項の構造及び機能的均等物を含むように，意図されている。また、これらの均等物は、現在の公知の均等物だけでなく、将来に開発される均等物、即ち、構造とは関係なく、同じ機能を実行するように考案されるすべてを含んでいる。
【００６５】
上述の目的、特徴及び利点は、添付された図面と関連される以下の詳細な説明を通じて、さらに明らかになる。本考案を説明するにおいて、関連される公知技術に対する具体的な説明が、本考案の要旨を不必要に曖昧にすることができていると判断される場合、その詳細な説明を省略したり、簡単に説明することとする。
【００６６】
以下、図面を参照して本考案の好ましい実施例について詳細に説明する。
【００６７】
図１は、本考案に係るコンドーム１０の形態を構成する材料の中２０に、様々なサイズ、様々な強度の立体図形形態４０としてのビーズ形態の材料が挿入される、コンドーム１０に関する例を説明するための図である。
【００６８】
本考案に係るコンドーム１０は、形態を構成する材料の中２０に、様々なサイズと様々な強度の立体図形形態４０としてのビーズ形態の材料が挿入されていることを特徴とする。
【００６９】
本考案に係るコンドーム１０は、様々なサイズと様々な強度の立体図形形態の材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００７０】
コンドームの形態を構成する材料の中２０に、液体、半固体の性質を有し、また人体に無害な材料８０が注入されることもできる、コンドームに具現することができる。
【００７１】
また、本考案のコンドームの形態を構成する材料の中２０を、隔膜構造３０にして、液体、半固体の性質を有し、また人体に無害な材料が、一方に集まることを防ぐことができる。
【００７２】
また、本考案のコンドームの形態を構成する材料の中２０を、隔膜構造３０にして、隔膜構造内でのみ立体図形としてのビーズ４０が、ただ定められた範囲内で動くようにして、ビーズ４０が、一方に傾くことを防ぐこともできる。
【００７３】
図２は、本考案に係るコンドームの形態を構成する材料の中に、立体図形形態としての丸形ボールの形態材料が挿入され、液体、半固体の材料が注入することもできるコンドームを示す図である。        
【００７４】
本考案に係るコンドーム１０は、形態を構成する材料の中２０に、様々なサイズと様々な強度の立体図形形態４０としてのビーズ形態の材料が挿入されていることを特徴とする。
【００７５】
本考案に係るコンドーム１０は、様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００７６】
コンドームの形態を構成する材料の中２０に、液体、半固体の性質を有し、また人体に無害な材料８０が注入されることもできる、コンドームに具現することができる。
【００７７】
また、本考案のコンドームの形態を構成する材料の中２０を、隔膜構造３０にして、液体、半固体の性質を有し、また人体に無害な材料が、一方に集まることを防ぐことができる。
【００７８】
また、本考案のコンドームの形態を構成する材料の中２０を、隔膜構造３０にして、隔膜構造内でのみ、立体図形としてのビーズ４０が、ただ定められた範囲内で動くようにして、ビーズ４０が、一方に傾くことを防ぐこともできる。
【００７９】
図３は、本考案に係るコンドームの形が、しわ型（行、列）及びしわ５０がスクリュー型である陽刻（凸）の部分に、立体図形形態としての丸形ボール４０形態の材料が挿入される、コンドームを示す図である。
【００８０】
本考案に係るコンドーム１０は、 形態を構成する材料の中２０の一部が、しわ型（行、列）及びしわ５０がスクリュー型である陽刻（凸）の部分に、様々なサイズと様々な強度の立体図形形態４０としてのビーズ形態の材料が挿入されていることを特徴とする。
【００８１】
本考案に係るコンドーム１０は、 様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００８２】
図４は、本考案に係るコンドームの形が、しわ型（行、列）及びしわ５０がスクリュー型である陽刻（凸）の部分の材料の中に、液体、半固体の材料８０が注入され、立体図形形態４０の材料が挿入されるコンドームを示す図である。
【００８３】
本考案に係るコンドーム１０は、形態を構成する材料の中２０の一部が、しわ型（行、列）及びしわ５０がスクリュー型である陽刻（凸）の部分に、様々なサイズと様々な強度の立体図形形態４０としてのビーズ形態の材料が挿入されていることを特徴とする。
【００８４】
本考案に係るコンドーム１０は、 様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００８５】
コンドームの形態を構成する材料の中２０に、液体、半固体の性質を有し、また人体に無害な材料８０が注入されることもできるコンドームに具現することができる。
【００８６】
また、本考案のコンドームの形態を構成する材料の中２０を、隔膜構造３０にして、液体、半固体の性質を有し、また人体に無害な材料が、一方に集まることを防ぐことができる。
【００８７】
また、本考案のコンドームの形態を構成する材料の中２０を、隔膜構造３０にして、隔膜構造内でのみ立体図形としてのビーズ４０が、ただ定められた範囲内で動くようにして、ビーズ４０が、一方に傾くことを防ぐこともできる。
【００８８】
図５は、本考案に係るコンドームの形態を構成する材料の中２０に、性器を支えるための様々な(形状、サイズ、強度) バー６０が挿入され、液体、半固体の材料８０が注入されることもできるコンドームを示す図である。
【００８９】
本考案に係るコンドーム１０は、形態を構成する材料の中２０に、性器を支えるための様々な(形状、サイズ、強度)バー６０が挿入されていることを特徴とする。
【００９０】
本考案に係るコンドーム１０は、形態を構成する材料の中２０に、様々な(形状、サイズ、強度) バー６０が挿入されているが、性器を支えるための機能だけあればいい。
【００９１】
本考案に係るコンドーム１０は、様々なサイズと様々な強度の立体図形形態材料４０は、ビーズの形であってもいいし、回転体、錐、柱、錐台、多面体、球、立体球、丸形球、ドーナツ形など様々な形であってもよく、様々な機能を適用するために、異物感が感じられるだけでいい。
【００９２】
コンドームの形態を構成する材料の中２０に、液体、半固体の性質を有し、また人体に無害な材料８０が注入されることもできるコンドームに具現することができる。
【００９３】
また、本考案のコンドームの形態を構成する材料の中２０を、隔膜構造３０にして、液体、半固体の性質を有し、また人体に無害な材料が、一方に集まることを防ぐことができる。
【００９４】
また、本考案のコンドームの形態を構成する材料の中２０を、隔膜構造３０にして、隔膜構造内でのみ、立体図形としてのビーズ４０が、ただ定められた範囲内で動くようにして、ビーズ40が、一方に傾くことを防ぐこともできる。
【００９５】
図６は、本考案に係るコンドームの形を構成する外部が、繊毛形の材料７０に囲まれ、液体、半固体の材料８０が注入されることもできるコンドームを示す図である。
【００９６】
本考案に係るコンドーム１０は、形態を構成する材料の外部が、繊毛型７０に突出することを特徴とする。
【００９７】
本考案に係るコンドーム１０は、形態を構成する材料の外部が、繊毛形７０に突出されているが、様々な形態、様々なサイズ及び様々な強度を持つことができ,様々な機能を適用するために、異物感が感じられるだけでいい。
【００９８】
コンドームの形態を構成する材料の中２０に、液体、半固体の性質を有し、また人体に無害な材料８０が注入されることもできるコンドームに具現することができる。
【００９９】
また、本考案のコンドームの形態を構成する材料の中２０を、隔膜構造３０にして、液体、半固体の性質を有し、また人体に無害な材料が、一方に集まることを防ぐことができる。
【０１００】
本考案によると、コンドームの形態を構成する材料の中に、様々な機能を適用するために、 異物感が感じられる材料を注入及び挿入して、装着感と性感を満足させるようにできる。
【０１０１】
コンドームの形態を構成する材料の中に、液体、半固体の性質を有し、また人体に無害な材料を使用することによって、よく裂けられないため、超薄膜コンドームの場合のように、コンドームの裂けによる望まない妊娠を予防することが可能である。
【０１０２】
異物感が感じられる材料を注入及び挿入して、女性にもっと満足感を与えると同時に、男性も満足させることも可能である。
【０１０３】
コンドームの形態を構成する材料の中に、液体、半固体の性質を有し、また人体に無害な材料を使用することにより、エイズウイルスのような、小さなウイルスをろ過できる二重保護膜の役割を果たす効果によって、確実に、エイズを予防する機能を実行する。
【０１０４】
コンドームの形態を構成する材料の中に挿入された立体図形形態の材料を囲まれる外部の膜が、特定の刺激である熱や力などを受けると、外部の膜がプチプチシートのように潰されるときの潰す楽しさと、外部の膜が裂けながら、立体図形形態の中の内容物が流れ出されて、コンドームの形を構成する材料の中の液体、半固体の性質を有し、また人体に無害な材料と混ぜながら特別な反応を起こすことが可能である。
【０１０５】
コンドームの形態を構成する材料の中に、立体図形形態の材料を磁石を用いることによって、生理痛の改善、バギナ内の活性化及び子宮内の血液循環と内臓器官全体の血液循環などを誘導することにより、健康のための機能を実行することが可能である。
【０１０６】
コンドームの形を構成する外部を、繊毛形の材料に囲まれるようにして、性感を満足させるように改善することが可能である。
【０１０７】
本考案によると、コンドームの形態を構成する材料の中に、様々な機能を適用するために、 異物感が感じられる材料を挿入して装着感と性感を良くするコンドームとして、コンドームの形態を構成する材料の中に、立体図形形態の材料が挿入されるコンドームであり、コンドームの形態を構成する材料の中に、様々なサイズの立体図形形態の材料が挿入されるコンドームであり、コンドームの形態を構成する材料の中に、様々な強度（硬い強度、適度な強度、滑らかな強度……）の立体図形形態の材料が挿入されるコンドームである。
【０１０８】
また、コンドームの形態を構成する材料の中に、様々な機能を適用するために、異物感が感じられる材料を挿入して、装着感と性感を良くするコンドームとして、コンドームの形態を構成する材料の中に、液体、半固体の性質を有し、また人体に無害な材料と立体図形形態の材料が挿入されるコンドームであり、コンドームの形態を構成する材料の中は、隔膜構造で分離されているコンドームであり、コンドームの形を構成する材料の中の分離されている隔膜構造の中には、立体図形形態の材料が固定されて動くことができない隔膜があるコンドームであり、コンドームの形を構成する材料の中の分離されている隔膜構造の中には、立体図形形態の材料が、上、下のみに動くことができる隔膜があるコンドームであり、コンドームの形を構成する材料の中の分離された隔膜構造の中には、立体図形形態の材料が、左、右のみに動くことができる隔膜があるコンドームであり、コンドームの形を構成する材料の中の分離された隔膜構造の中には、立体図形形態の材料が、左上、右下に、または、左下、右上に動くことができる隔膜があるコンドームであり、コンドームの形を構成する材料の中の分離された隔膜構造の中には、立体図形形態の材料が、四方八方に全方向移動可能な隔膜があるコンドームである。
【０１０９】
また、コンドームの形態を構成する材料の中に、様々な機能を適用するために、異物感が感じられる材料を挿入して装着感と性感を良くするコンドームとして、コンドームの形が、 横軸（行）、横軸にしわがある横しわ型であるコンドームであり、コンドームの形が、縦軸（列）、縦軸にしわがある縦しわ型であるコンドームであり、コンドームの形が、左上、右下に、または、左下、右上にしわがあるスクリュー型であるコンドームであり、コンドームの形がしわ型（横軸、縦軸）及びしわがスクリュー型である陽刻（凸）の部分の材料の中に、立体図形形態の材料が挿入されるコンドームであり、コンドームの形が しわ型（横軸、縦軸）、及びしわがスクリュー型である陽刻（凸）の部分の材料の中に、様々なサイズの立体図形形態材料が挿入されるコンドームであり、コンドームの形がしわ型（横軸、縦軸）及びしわがスクリュー型である陽刻（凸）の部分の材料の中に、様々な強度（硬い強度、適度な強度、滑らかな強度……）の立体図形形態の材料が挿入されるコンドームである。
【０１１０】
また、コンドームの形態を構成する材料の中に、様々な機能を適用するために、異物感が感じられる材料を挿入して装着感と性感を良くするコンドームとして、コンドームの形が、 しわ型（横軸、縦軸）、及びしわがスクリュー型である陽刻（凸）の部分の材料の中に、液体、半固体の性質を有し、また人体に無害な材料と立体図形形態の材料が挿入されるコンドームであり、コンドームの形がしわ型（横軸、縦軸）及びしわがスクリュー型である陽刻（凸）の部分の材料の中に、隔膜構造で分離されているコンドームであり、コンドームの形がしわ型（横軸、縦軸）及びしわがスクリュー型である陽刻（凸）の部分の材料の中の分離された隔膜構造の中には、立体図形形態の材料が固定されて動くことができない隔膜があるコンドームであり、コンドームの形がしわ型（横軸、縦軸）及びしわがスクリュー型である陽刻（凸）の部分の材料の中の分離された隔膜構造の中には、立体図形形態の材料が上、下のみに動くことができる隔膜がある コンドームであり、コンドームの形がしわ型（横軸、縦軸）及びしわがスクリュー型である陽刻（凸）の部分の材料の中の分離された隔膜構造の中には、立体図形形態の材料が、左、右のみに動くことができる隔膜があるコンドームであり、コンドームの形がしわ型（横軸、縦軸）及びしわがスクリュー型である陽刻（凸）の部分の材料の中の分離された隔膜構造の中には、立体図形形態の材料が左上、右下に、または、左下、右上に動くことができる隔膜があるコンドームであり、コンドームの形がしわ型（横軸、縦軸）及びしわがスクリュー型である陽刻（凸）の部分の材料の中の分離された隔膜構造の中には、立体図形形態の材料が四方八方に全方向移動可能な隔膜があるコンドームである。
【０１１１】
また、コンドームの形態を構成する材料の中に、様々な機能を適用するために、異物感が感じられる材料を挿入して、装着感と性感を良くするコンドームとして、コンドームの形態を構成する材料の中に、性器を支えるための様々な（形状、サイズ、強度）バーが挿入されるコンドームである。
【０１１２】
また、コンドームの形態を構成する材料の中に、様々な機能を適用するために、異物感が感じられる材料を挿入して、装着感と性感を良くするコンドームとして、コンドームの形を構成する外部が、繊毛形の材料に囲まれ、繊毛形に突出されるコンドームである。
【０１１３】
コンドームの形態を構成する材料の中に、様々な機能を適用するために、異物感が感じられる材料を挿入して、装着感と性感を良くするコンドームの形態を構成する材料の中に、ビーズ形態の材料が挿入されるコンドームである。
【０１１４】
コンドームの形態を構成する材料の中に、様々な機能を適用するために、異物感が感じられる材料を挿入して、装着感と性感を良くするコンドームの材料は、ゴム、シリコン、ポリウレタンなどにより、高弾力性の伸縮性のある様々な素材が使用されるコンドームである。
【０１１５】
コンドームの形態を構成する材料の中に、様々な機能を適用するために、異物感が感じられる材料を挿入して、装着感と性感を良くするコンドームの形態を構成する材料の中に挿入された立体図形形態の材料は、ゴム、シリコン、ポリウレタンなどにより、高弾力性の伸縮性のある様々な素材が使用されるコンドームである。
【０１１６】
コンドームの形態を構成する材料の中に、様々な機能を適用するために、異物感が感じられる材料を挿入して、装着感と性感を良くするコンドームの形態を構成する材料の中に挿入された立体図形形態の材料の中に、生理食塩水、シリコーンゲル、凝集性シリコーンゲル、ダブルルーメン、カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料等の様々な素材が使われるコンドームである。
【０１１７】
コンドームの形態を構成する材料の中に、様々な機能を適用するために、異物感が感じられる材料を挿入して、装着感と性感を良くするコンドームの形態を構成する材料の中に、生理食塩水、シリコーンゲル、凝集性シリコーンゲル、ダブルルーメン、,カイコヘシブゲル（コジェル）、多糖類、ハイドロゲル（多糖類成分）、中性脂肪（大豆油成分）、シリコン（ジメチコン、トリメチコン、シクロペンタシロキサン、ジメチコンクロスポリマー、メチルフェニルポリシロキサン……）等の液体、半固体の性質を有し、また人体に無害な材料が使用されるコンドームである。
【０１１８】
コンドームの形態を構成する材料の中に、様々な機能を適用するために、異物感が感じられる材料を挿入して、装着感と性感を良くするコンドームの形態を構成する材料の中に挿入された立体図形形態の材料を囲まれる外部の膜が、特定の刺激である熱や力などを受けると、外部の膜が裂けながら、立体図形形態の中の内容物が流れ出されて、コンドームの形を構成する材料の中の液体、半固体の性質を有し、また人体に無害な材料と混ぜられるコンドームである。
【０１１９】
コンドームの形態を構成する材料の中に 様々な機能を適用するために 異物感が感じられる材料を挿入して、装着感と性感を良くする コンドームの形態を構成する材料の中に 挿入される 立体図形形態の材料は、磁石のように磁力を有する磁性物質を用いるコンドームである。
【０１２０】
コンドームの形態を構成する材料の中に挿入された立体図形形態の材料の中は、空の形とし、空気や窒素などが充填される小さなボールを用いるコンドームである。
【０１２１】
コンドームの形態を構成する材料の中に挿入された立体図形形態の材料の外部を、磁力を有する磁性物質のようなものでコーティングする立体図形を用いるコンドームである。
【０１２２】
コンドームの形態を構成する材料の中に挿入された立体図形形態の材料を、空気や窒素などが充填される小さなボールと、磁力を有する磁性物質及びゴム、シリコン、ポリウレタンなどを使用する高弾力性の伸縮性のある様々な素材とを混合して用いるコンドームである。
【０１２３】
コンドームの形態を構成する材料の中に、様々な機能を適用するために、異物感が感じられる材料を挿入して、装着感と性感を良くするコンドームには、天然のゲル及びクールなメンソールなどの様々な成分が含まれるコンドームである。
【産業上の利用可能性】
【０１２４】
本考案に係るコンドーム１０の形態を構成する材料の中２０に、様々なサイズ、様々な強度の立体図形形態４０としての丸形ボールの形態材料が挿入されるコンドーム１０は、形態を構成する材料の中２０に、様々なサイズと様々な強度の立体図形形態４０としてのビーズ形態の材料が挿入されていることを特徴とする。
【０１２５】
様々なサイズと様々な強度の立体図形形態材料４０は、ビーズの形であってもいいし、 回転体、錐、柱、錐台、多面体、球、立体球、丸形球、ドーナツ形など、様々な形であってもよく、様々な機能を適用するために、異物感が感じられるだけでいい。
【０１２６】
コンドームの形態を構成する材料の中２０に、液体、半固体の性質を有し、また人体に無害な材料８０が注入されることもできるコンドームに具現することができる。
【符号の説明】
【０１２７】
１０    コンドーム
２０    コンドーム形態構成
３０    隔膜構造
４０    立体図形形態材料
５０    しわ形態構成(凸)
６０    バー（BAR)形態材料
７０    繊毛形態材料(繊毛突出型)
８０    液体、半固体の性質を有し、また人体に無害な材料